【事件の表示】
　特許第３００３７９８号「田植機」の請求項１に係る特許に対する特許異議の申立てについて、次のとおり決定する。
【結　論】
　訂正を認める。
　特許第３００３７９８号の請求項１に係る特許を取り消す。
【理　由】
一、手続の経緯
　特許第３００３７９８号に係る発明についての出願は、平成１年６月９日に出願された特願平１−１４７１３４号の特許出願に係り、平成１１年１１月１９日にその発明についての特許の設定登録がなされ、その後、その特許について、特許異議申立人山本進（以下、「申立人１」という。）、特許異議申立人三菱農機株式会社（以下、「申立人２」という。）、及び特許異議申立人ヤンマー農機株式会社（以下、「申立人３」という。）より特許異議の申立てがなされ、平成１２年１２月２５日付けで取消理由通知がなされ、その指定期間内である平成１３年３月１２日に訂正請求がなされたものである。
　
二、訂正の適否についての判断
（１）訂正の内容　
　特許権者の求めている訂正の内容は、次のとおりである。
［訂正事項ａ］
　特許明細書の特許請求の範囲の欄の
　「【請求項１】機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作する操作具４１をメータパネル４０の近くに設けたことを特徴とする田植機。」
の記載を、
　「【請求項１】機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作
し左右の線引きマーカ６のいずれか一方を任意に線引き状態にすることができる
レバーにて構成し、該レバー先端部を上向きの
で且つ該メーターパネル４０に対し右側上方に位置するよう
と訂正する。
　
［訂正事項ｂ］
　特許明細書の発明の詳細な説明の欄の〔問題点を解決するための手段〕の
　「この発明は、上記従来の問題点を解決するために、機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作する操作具４１をメータパネル４０の近くに設けたことを特徴とする田植機とした。」
の記載を、
　「この発明は、上記従来の問題点を解決するために、機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作
し左右の線引きマーカ６のいずれか一方を任意に線引き状態にすることができる
レバーにて構成し、該レバー先端部を上向きの
で且つ該メーターパネル４０に対し右側上方に位置するよう
と訂正する。
　
［訂正事項ｃ］
　特許明細書の発明の詳細な説明の欄の〔発明の作用及び効果〕の
　「この発明の田植機は、上記構成のものとしたから、規制手段３７を規制状態と規制解除状態とに切り替え操作する操作具４１を操作して、左右一方側の線引マーカ６を線引き状態に切り替えるので、その線引マーカ６の切り替え操作が軽快かつ迅速に行え、」
の記載を、
　「この発明の田植機は、上記構成のものとしたから、規制手段３７を規制状態と規制解除状態とに切り替え操作する
レバーにて構成した操作具であって、該レバー先端部を上向きのメータパネル４０の近くで且つ該メーターパネル４０に対し右側上方に位置するように設けた
と訂正する。
　
［訂正事項ｄ］
　特許明細書の発明の詳細な説明の欄の〔発明の作用及び効果〕の
　「しかも、その操作具４１をメータパネル４０の近くに設けているので、その操作具４１が操縦者の視野に入りにやすく、よって、その操作具４１の操作が忘れにくいものとなる。」
の記載を、
　「しかも、その操作具４１をメータパネル４０の近くに設けているので、その操作具４１が操縦者の視野に入
り
と訂正する。
　
（２）訂正の目的の適否、新規事項の有無及び拡張・変更の存否
  上記訂正事項ａの訂正は、特許請求の範囲の請求項１に係る発明における特定事項「操作具４１をメータパネル４０の近くに設けた」を「左右の線引きマーカ６のいずれか一方を任意に線引き状態にすることができる操作具４１をレバーにて構成し、該レバー先端部を上向きのメータパネル４０の近くで且つ該メーターパネル４０に対し右側上方に位置するように設けた」のように限定的に減縮するものであるから、特許請求の範囲の減縮を目的とするものに該当し、また、上記訂正事項ｂ及び訂正事項ｃの訂正は、上記訂正事項ａと整合を図るものであるから、明りょうでない記載の釈明を目的とするものに該当し、さらに、上記訂正事項ｄの訂正は、明らかな誤記「視野に入りにやすく、」を正しい表記の「視野に入りやすく、」に訂正するものであるから、誤記の訂正を目的とするものに該当し、いずれの訂正事項も、願書に添付した明細書又は図面に記載した事項の範囲内のものであって、実質上特許請求の範囲を拡張、又は変更するものでもない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項の規定において準用する平成６年改正法による改正前の特許法第１２６条第１項ただし書き及び第２項の訂正に関する規定に適合するので、当該訂正を認める。
　
三、特許異議の申立てについての判断
１．本件発明
　上記「二、訂正の適否についての判断」の欄に示したように上記訂正が認められるから、本件の請求項１に係る発明（以下、これを「本件発明」という。）は、上記訂正に係る訂正明細書の特許請求の範囲の請求項１に記載された次の事項により特定されるとおりのものである（上記「二、訂正の適否についての判断」の欄の「（１）訂正の内容」の［訂正事項ａ］を参照）。
　「【請求項１】機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作
し左右の線引きマーカ６のいずれか一方を任意に線引き状態にすることができる
レバーにて構成し、該レバー先端部を上向きの
で且つ該メーターパネル４０に対し右側上方に位置するよう
　
２．引用刊行物
  当審が平成１２年１２月２５日付けで通知した取消理由において、以下の刊行物を引用した。
　
［刊行物１］：特公昭６２−３７９２２号公報（申立人２提出の甲第１号証）
［刊行物２］：実願昭６０−１２３３０４号（実開昭６２−３３２１２号）の願書に添付した明細書及び図面の内容を撮影したマイクロフィルム（申立人２提出の甲第４号証）
［刊行物３］：特開昭５７−６５１０７号公報（申立人２提出の甲第３号証）
［刊行物４］：実願昭６２−１１８９８８号（実開昭６４−２２２０７号）の願書に添付した明細書及び図面の内容を撮影したマイクロフィルム（申立人２提出の甲第５号証）
　
３．各引用刊行物記載の発明
　刊行物１には、田植機のマーカ装置に関して、次の事項が記載されている。
　「１　走行車体に、油圧シリンダ装置により作動するリフト機構を介して田植作業機を装着し、この田植作業機側に、マーカを使用状態と非使用状態とに切換え可能に設け、前記リフト機構とマーカとを、田植作業機を非作業状態へ揚上作動するときにマーカが非使用状態に切換え可能に連動させると共に、前記油圧シリンダ装置の本体とピストンとの間に、ピストンの伸縮方向に沿って移動可能なシャフトを設け、このシャフトとマーカを作動させるワイヤとを連動連結し、マーカが非使用状態時にあるとき前記シャフトの移動を係止してマーカが使用状態に切換わるのを防止する制限機構を、前記マーカ作動用のワイヤを連結する側の油圧シリンダ装置側に設け、田植作業機を降下した状態において前記制限機構の係止を解除するとき、マーカの非使用状態が使用状態に切換え得る操作具を運転座席近傍に設けてなる田植機のマーカ装置。」（１欄２行〜２０行の特許請求の範囲）
　「田植作業機３を降下した状態で操作レバー２６を引くことによりワイヤ２５を介してノックピン２３がばね２４の弾発力に抗して上方に引かれ、ノックピン２３とロックシャフト２２の嵌合溝２２との嵌合、即ち制限機構が解除され、マーカ８は引張りばね１１に引かれて第２図の仮想線で示すように機体側方に倒れて線引き部８ｅを田面に突入させて使用状態となり、これと同時に、ワイヤ１３は引張られてロックシャフト２２およびマーカ引きシャフト１９を第３図で左行させ、ストッパ２０は、間隔Ｃを詰めてマーカ引き板１８に当接させる。そして、田植機の移動と共に線引き部８ｅによって一定深さの線を引くことができ、田植機の次工程の走行基準線となる。田植機が圃場内で枕地旋回するとき、あるいは路上を走行するときなどの非作業時には、田植作業機３をリフト機構２により揚上させるが、この揚上動作は、第３図において油圧シリンダ１７のピストン１７ａを伸張する方向、つまり右行させ、上部リンク２ａ、下部リンク２ｂを前部リンク１４との枢支点を中心に上向きに回動させることにより行われる。ピストン１７ａが右行すると、マーカ引き板８によりストッパ２０およびマーカ引きシャフト１９が引かれ、これと共にロックシャフト２２、ワイヤ１３も引かれ、マーカ８は引張ばね１１を引張るようにして第２図の実線位置および第１図の仮想線位置に示すように起されて、苗タンク６の下側に収納され非使用状態となる。このとき、ロックシャフト２２の移動により、その嵌合溝２２ａとノックピン２３とが嵌合する位置になると、ノックピン２３はばね２４の弾発力で嵌合溝２２ａと嵌合し、制限機構が働いてロックされ、また、マーカ引きシャフト１９を移動させながらマーカ８が移動するので、その動作は無理なく行われる。即ち、本実施例においては、マーカ８は、田植作業機３を降下して、操作レバー２６を引いたとき使用状態となり、田植作業機を揚上したときは使用状態から非使用状態に自動的に収納されロックされる。従って、枕地回行時には、マーカ８は必ず非使用状態に収納されており、植付けられた苗をマーカ８で倒すことがなく、また、マーカが畦畔に衝突したり、路上走行時に機体側方に張出して走行の障害になることもない。なお、前記実施例では、マーカ８およびその操作機構を一組設けたものを示したが、実際には、これを二組設けてマーカ８を機体の両側に設け、選択的に用いられるものである。」（５欄２９行〜６欄３４行）
　
　刊行物２には、水田作業機のマーカー選択装置に関して、次の事項が記載されている。
　「１）　作業部（７）を非作業状態と作業状態とに昇降操作する昇降機構と昇降操作部を有し、該昇降操作部に連動して、作動すべきマーカー（１１）を選択作動させる自動切換スイッチ（２９）を有するマーカー操作回路を設けた構成において、上記マーカー操作回路中にあって前記自動切換スイッチ（２９）に接続され、且つ該自動切換スイッチ（２９）とは別個に任意にマーカー（１１）を選択作動させる手動切換スイッチ（３０）を運転席（４）の近傍に設けたことを特徴とする水田用作業機のマーカー選択装置。」（明細書１頁５行〜１５行の実用新案登録請求の範囲）
　「マーカー１１は植付部７の左右に回動自在に取り付けられ、マーカー１１の自重とスプリング１２により下向する方向に引っ張られる一方、マーカーワイヤ１３により収納する方向にマーカー回動支点１４を支点として回動操作される。マーカーワイヤ１３のインナ末端部１５はシリンダ９の基部の板１６に固着され、アウタの末端部１７には段部１８を設け、ソレノイドケース１９の孔部２０に貫通させてあり、段部１８にソレノイド２１のプランジャ２２が係合してストッパ作用をなす構造となっている。一方アウタの末端部１７にはストッパ板２３，２４があり、ストッパ板２３は下降時ソレノイドケース１９に当たり、他方のストッパ板２４は上昇時シリンダラム９ａに固定された板２５の孔に作用し、インナーケーブル２６が相対的に引っ張られるようになりマーカー１１を格納する。プランジャ２２はスプリング２７により常に段部１８に当たり、アウタのストッパとなるように作用し、下降時にはマーカー１１が出ないが、ソレノイド２１が通電されると、プランジャ２２は上方向に引っ張られ段部１８のストッパが解除され下降時アウタの移動に併せてマーカー１１が下降する。油圧昇降レバ２８の上昇操作時に自動切換スイッチ２９が切換わる構造であり、回行時の昇降操作により左右のマーカー１１が交互に自動的に作動する。運転席４の近傍には手動切換スイッチ３０，通電ソレノイド２１ａ，２１ｂの方向を表示するランプ３１ａ，３１ｂ及び電源スイッチ３２が設置されており、又運転席下部に植付部７の最上限位置を検知する上限検出スイッチ３３がある。いま電源スイッチ３２をＯＮするとスイッチ２９，３０の状態により、いずれかのソレノイド２１ａ，２１ｂに通電される。（図では２１ａ）　一方ＳＣＲ３４による点灯回路が作動することにより、通電しているソレノイド２１ａ又は２１ｂ側のパイロットランプ３１ａ又は３１ｂが点灯するが、これは上限検出スイッチ３３のＯＮ作動により作動するので植付部７を最上限位置まで上昇する必要がある。それによってパイロットランプ３１ａが点灯するが、それが逆方向の場合手動切換スイッチ３０を一度操作する。手動切換スイッチ３０は−回押す毎に状態が切換わる二極双投型の押しボタンスイッチであり、自動切換スイッチ２９の状態にかかわらず、手動切換スイッチ３０の接続回路によりソレノイド２１の通電及びパイロットランプ３１ａ，３１ｂの点灯が切換わり、マーカー１１の作動方向が選択できる。」（明細書５頁１１行〜７頁１９行）
　「第１にマーカーの作動選択を植付部等の作業部の非使用状態、使用状態への操作に連動させる自動切換スイッチで左右いずれかのマーカーを作動させるが、その作動に際し手動操作スイッチにより作動すべき側のマーカーを選択することができるので、マーカーの選択誤操作がなく、また誤操作した場合も再度作業部の昇降操作を繰り返す必要がなく手動操作スイッチで正しい選択をすることができ、昇降操作の繰り返しに伴う運転操作の煩雑さ，作業性の低下，作業部下面の田面の乱れや機械の汚損等の問題が解消される。」（明細書８頁１６行〜９頁７行）
　
　刊行物３には、田植機の進行方向を標示する線引きマーカー装置に関して、次の事項が記載されている。
　「（３１）、（３２）は線引きマーカーで、田植機（９）の左右両側部に基部が枢着された回動杆を介して取付けられ、ばね（３３）、（３４）で常に倒伏される状態に設けられている。」（２頁左下欄２０行〜右下欄２行）
　「（３６）はマーカー引き板で、前記油圧ピストン（２７）の先端部側に一体的に止着されていて、このマーカー引き板（３６）には左右に２個の孔（３７）、（３８）を穿設している。（３９）は後述するマーカー引き棒（４０）、（４１）を嵌挿支持すると共にストッパーピン（４２）、（４３）を取付ける枠体で、前記油圧シリンダー（２６）に一体的に構成している。マーカー引き棒（４０）、（４１）は、基部側を太く、先端側を細くして、太い部分を前記枠体（３９）に穿設の支持孔（４４）、（４５）に、先端の細い部分を前記マーカー引き板（３６）の孔（３７）、（３８）に挿通し、細い部分の先端には孔（３７）、（３８）を通過できないストッパー（４６）、（４７）を設け、太い部分の基端部には段部（４８）、（４９）を構成している（５０）、（５１）は、レリーズワイヤーで、そのインナーワイヤ一の基部を前記マーカー引き棒（４０）、（４１）の基端部に止着し、先端部を前記線引きマーカ（３１）、（３２）の基部側回動杆に連結している。（５２）、（５３）はソレノイドで、前記ストッパーピン（４２）、（４３）を引抜くように励磁できるよう前記枠体（３９）に内装されている。（５４）、（５５）はストッパーピン（４２）、（４３）を押下げて、前記マーカー引き棒（４０）、（４１）の各段部（４８）、（４９）に該ストッパーピン（４２）、（４３）を安定保持するばねである。第４図はマーカー（３１）、（３２）の作動切替機構を構成する電気回路で、この回路中のスイッチ（６１）により、マーカー（３１）（３２）の作動が切替えられる。即ち、前記の左・右ソレノイド（５２）、（５３）に電導の回路（５６）、（５７）の基端部に設けた端子ａ、ｂと、両回路を連結する回路（５８）途中に設けた１回の押込み操作毎に電流が回路（５６）側あるいは回路（５７）側へ切替えられる交代切替スイッチ（５９）に電導される端子ｃとに、バッテリー（６０）からの電流を端子ａ、ｂに同時に通電する状態（イ）、端子ｃにのみ通電する状態（ハ）及びいずれの端子にも通電しない状態（ロ）に夫々切替えできるスイッチ（６１）を構成している。」（２頁右下欄１４行〜３頁右上欄９行）
　「次に、上例の作用を説明すると、まず、左右横方向に多数個並んで設けられている苗タンク（１１）に土付マット苗を搭載したのち、原動機で各部を駆動すると共に、圃場の一側畦畔際から、走行車体（１）に装備されている田植機（９）が１行程で苗植付けができる幅だけ残して設定し、ハンドル（５）下部のパネルに取付てたスイッチ（６１）を図中（ハ）の状態に切替えて、油圧切替レバー（３０）で油圧切替バルブ（２９）を矢印（ニ）方向へ切替えて油圧ピストン（２７）を田植機（９）の荷重で押込んで該田植機（９）を下降ならして、整地フロート（１３）、（１４）を圃場表面に接地ならしめて田植作業を開始する。このとき、スイッチ（６１）によって電気回路Ａの端子ａ，ｂに通電されているから、ソレノイド（５２）、（５３）が共に励磁されストッパーピン（４２）、（４３）が上方へ引上げられた状態にある。したがって、ピストン（２７）の動きと共に作動するマーカー引き板（３６）の移動につれてマーカー引き棒（４０）、（４１）の先端に設けたストッパー（４６）、（４７）が油圧シリンダー（２６）側に移動し、マーカー引き棒（４０）、（４１）に取付けたレリーズワイヤーのインナーが弛むこととなる。したがって、ワイヤ一に連動連結されている線引きマーカー（３１）、（３２）はばね（３３）、（３４）によって倒伏され、両マーカー（３１）、（３２）が田植機（９）の左右両側で線引き作用状態となる。」（３頁右上欄１８行〜右下欄１行）
　「このようにして、苗植付け作業が行われるが、この最初の苗植付け行程では左右の両線引きマーカー（３１）、（３２）が共に圃場表面に線引きを行う。そして前進方向に対する圃場の畦畔近くに達すると、スイッチ（６１）を図示した（イ）の状態に切替えると共に植付けクラッチレバー（６８）でクラッチを切ると共に油圧切替レバー（３０）で切替レバー（２９）を田植機（９）を上昇するべく切替える。すると、油圧ピストン（２７）が突出し、これに伴ってマーカー引き板（３６）がマーカー引き棒（４０）、（４１）のストッパー（４６）、（４７）を係合して作動し、ワイヤ一を介して左右の両線引きマーカー（３１）、（３２）を起立させる。このように操作したのちハンドル（５）を回転して旋回する。そして、旋回後、油圧切替レバー（３０）で油圧切替バルブ（２９）を反矢印（ニ）方向へ切替えて田植機（９）を下降して苗植付け姿勢にしたのち、苗植付けレバー（６８）を「入」に操作する。すると、田植機が駆動し始められると共に電気回路Ａの交代切替スイッチ（５９）が回路（５６）あるいは回路（５７）のいずれか片方に切替えられる。この場合、例えば、回路（５６）側にのみ通電されると、ソレノイド（５２）のみが励磁されて、ストッパーピン（４２）のみ引上げられることとなる。したがって、このストッパーピン（４２）で段部（４８）の係止が外され、この側の線引きマーカー（３１）だけが線引き状態となる。このとき、線引きマーカー（３１）が既植地側になると、これは逆であるから再び、その場で田植機（９）の植付けクラッチを「切」操作すると共に上昇させたのち下降するとよく、この操作によって前記交代切替スイッチ（５９）が切替えられて未植地側のマーカー（３２）が今度は作用状態となる。このようにして、未植地側のマーカー例えば（３２）を作用状態にして田植作業を開始する。そして、走行車体（１）のセンターマーカー（３５）を前作業工程で圃場面に印された線上に沿わせて操縦操作すると所定の条間が保持されて確実な苗植付け作業ができる。そして、引続き畦畔近くになると、植付けクラッチを切ると共に田植機（９）を上昇させて旋回すると、今度は交代切替スイッチ（５９）で逆側の線引きマーカー（３１）が作用状態となり、他方のマーカー（３２）が非作用状態に切替えられる。このようにして次々に旋回しながら苗植付け作業を進めると最後に、圃場の終り側畦畔に達する。この場合、圃場の植残し部分は、圃場の全周に残されることとなり、圃場を一循して植付ければ、完全に苗植付け作業が完了することとなる。さて、この場合、機体の一方は畦畔に沿い他方は既植地側となるから、左右両マーカー（３１）、（３２）が共に使用状態にあると困ることになる。この場合には、電気回路中Ａ中のスイッチ（６１）を図示（ロ）の状態に切替え、回路（５６）、（５７）のいずれにも通電しない状態にしてソレノイド（５２）、（５３）の励磁が起らないようにしておく。そして、田植機（９）を上昇させるとマーカー引き棒（４０）、（４１）が油圧ピストン（２７）と一体のマーカー引き板（３６）で引上げられるとストッパーピン（４２）、（４３）が両マーカー引き棒（４０）、（４１）の基部側段部（４８）、（４９）を係止し、ピストン（２７）がシリンダー（２６）内へ押込まれて田植機（９）が下降されてもこの状態を保持する。このように、両マーカー（３１）、（３２）を非使用状態にして圃場の畦畔近くの全周を植付ける。」（３頁右下欄１５行〜４頁左下欄１５行）
　
　刊行物４には、田植機等の農作業機におけるマーカ装置に関して、次の事項が記載されている。
　「２５，２５は左右のマーカであって、プランタケース２６，２６…を連結するステー２７の左右両端に設けたマーカステー２７ａに枢着されており、機体の側方に突出する作業位置と、上動した非作業位置とに回動自在となっている。２８は上記マーカ２５，２５の基端部に連結されたマーカワイヤであって、該マーカワイヤ２８の先端側は、前記油圧シリンダ１４上に止着されたソレノイド２９の中を貫通してラム体１５に固定したプレート３０に装着されている。そしてラム体１５が伸長して植付部１１を上昇させるとマーカワイヤ２８が引張られてマーカ２５が非作業位置に上動し、ラム体１５が縮小して植付部１１が植付位置に下降したときにはマーカワイヤ２８が緩んでマーカ２５が機体の側方に突出した作業位置に下動する。３１はマーカ２５を下降方向に付勢する弾機である。３２はソレノイド２９のプランジャであって、マーカ２５が上動しているときにソレノイド２９がＯＦＦになると上記プランジャ３２がスプリング３３の付勢により下降してマーカワイヤ２８の段付部２８ａに嵌入してマーカ２５を上動位置にロックし、ソレノイド２９がＯＮになると、プランジャ３２が上昇してロックが解除されるロック装置３４が構成されている。」（明細書６頁１３行〜７頁１６行）
　「第８図〜第１０図に示すものは、次に作業位置に下降するマーカを予告灯で表示すると共に、マーカが実際に下降したのを示す作動灯を設けたものである。すなわち、左右のマーカ４６，４６の基端部にはマーカ４６，４６が下降したときに作動するスイッチ４７Ｒ，４７Ｌが配設されており、上記スイッチ４７Ｒ，４７Ｌが運転パネル４８に設けた作動灯４９Ｒ，４９Ｌに連結されている。そしてソレノイド５０を切替える切替スイッチ５１の切替作動によって次に下降するマーカ４６を予告する予告灯５２Ｒ，（５２Ｌ）が点灯し、ついでマーカ４６が下降するとスイッチ４７Ｒ，（４７Ｌ）が作動して作動灯４９Ｒ，（４９Ｌ）が点灯するので、万一、マーカワイヤの不具合等によりマーカ４６が実際に下降しないようなことがあっても、マーカ４６の作動状況を確実に把握して適切に対処することができる。またマーカ切替スイッチ５３の切換により左右のマーカ４６，４６を同時に作動させれば、まず左右の予告灯５２Ｒ，５２Ｌが同時に点灯し、ついでマーカ４６，４６が下降すると作動灯４９Ｒ，４９Ｌも同時に点灯し、マーカ４６，４６をともにロックすれば、全部消灯する。５４はバッテリーである。」（明細書９頁１８行〜１０頁２０行）
　
４．対比・判断
（１）対比及び一致点・相違点
　本件発明と刊行物１記載の発明とを比較すると、刊行物１の「使用状態」「非使用状態」「マーカ８」「引張りばね１１」「田植作業機３」「制限機構」「操作レバー２６」「田植機」が、本件発明の「線引き状態」「非線引き状態」「線引マーカ６」「付勢手段４３」「苗植装置５」「規制手段３７」「操作具４１をレバーにて構成し」「田植機」にそれぞれ相当する。
　そうすると、両者は「機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作できる操作具４１をレバーにて構成した田植機」である点で一致し、次の点で相違する。
［相違点１］：本件発明の操作具が「該規制手段３７を規制状態と規制解除状態とに切り替え操作し左右の線引きマーカ６のいずれか一方を任意に線引き状態にすることができる」のに対し、刊行物１記載の発明の操作具は、規制手段３７を規制状態と規制解除状態とに切り替え操作できるものではあるが、本件発明のように「左右の線引きマーカ６のいずれか一方を任意に線引き状態にすることができる」か否かについて明確でない点。
［相違点２］：操作具を、本件発明では「該レバー先端部を上向きのメータパネル４０の近くで且つ該メーターパネル４０に対し右側上方に位置するように」設けたのに対し、刊行物１記載の発明では「運転座席近傍に」設けた点。
　
（２）当審の判断　
　つぎに、上記相違点について検討する。
［相違点１］について
　刊行物１の６欄３１行〜３４行に「なお、前記実施例では、マーカ８およびその操作機構を一組設けたものを示したが、実際には、これを二組設けてマーカ８を機体の両側に設け、選択的に用いられるものである。」の記載のあることが認められる。この記載に基づけば、刊行物１記載の発明においても、マーカ８および引張りばね１１、ワイヤ１３等からなる一組の操作機構が、機体の左方、右方のフレーム４のそれぞれに一組づつ、計二組が配設され、かつ、二組のそれぞれのワイヤ１３のロックシャフト２２の嵌合溝２２ａにノックピン２３の先端が嵌合することによるマーカ８の係止を解除するためのワイヤ２５を介して、それぞれのノックピン２３と、左右のマーカ操作用の２本の操作レバー２６とがそれぞれ接続されていると解するのが相当である。
　そうしてみると、刊行物１記載の発明における操作レバー２６は、左右のマーカ操作用の２本の操作レバー２６のうちのいずれか一方が任意に選択されて左右のマーカ８、８のいずれか一方を操作することになるから、前記操作レバー２６は、本件発明と同じく、規制手段を規制状態と規制解除状態とに切り替え操作し左右のマーカ８のいずれか一方を任意に線引き状態にすることができる操作具である、ということができる。
　したがって、上記相違点１は、実質的に刊行物１に記載されているということができる。
　
［相違点２］について
（イ）刊行物２記載の発明の「マーカー１１は植付部７の左右に回動自在に取付けられ、マーカー１１の自重とスプリング１２により下向する方向に引っ張られる一方、マーカーワイヤ１３により収納する方向にマーカー回動支点１４を支点として回動操作される」「スプリング１２」「植付部７の非作業状態」「植付部７の作業状態」「ストッパ作用」「作動すべきマーカー１１を選択作動させる自動切換スイッチ２９に接続され、且つ該自動切換スイッチ２９とは別個に任意にマーカー１１を選択作動させる手動切換スイッチ３０」「運転席４の近傍」「水田作業機」が、本件発明の「機体左右外方に倒れるように回動して線引き状態となり機体側に起立するように回動して非線引き状態となる線引きマーカ６」「該線引きマーカ６を線引き状態となる方向に回動するように付勢する付勢手段４３」「苗植装置５の上昇」「苗植装置５の下降」「苗植装置５を下降しても線引きマーカ６が非線引き状態から線引き状態に回動しないよう規制する規制手段３７」「該規制手段３７を規制状態と規制解除状態とに切り替え操作し左右の線引きマーカ６のいずれか一方を任意に線引き状態にすることができるする操作具４１」「メータパネル４０の近く」「田植機」にそれぞれ相当することは、明らかである。
　してみると、刊行物２には「機体左右外方に倒れるように回動して線引き状態となり機体側に起立するように回動して非線引き状態となる線引マーカ６を機体の左右両側に備え、該線引マーカ６を線引き状態となる方向に回動するように付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作し左右の線引きマーカ６のいずれか一方を任意に線引き状態にすることができる操作具４１をメータパネル４０の近くに設けた田植機」が記載されているということができる。
　そして、前記刊行物２の第１図及び第２図の記載からみて、刊行物２には、作動すべきマーカー１１を選択作動させる自動切換スイッチ２９とは別個に任意にマーカー１１を選択作動させる手動切換スイッチ３０の先端部を、ステアリングハンドルのコラム立設部分の近くにある上向きのパネルの近くで、且つ、該パネルに対し上方に位置するように設けることが記載されている。
　また、前記刊行物３の第１図及び第４図の記載からみて、刊行物３にも、線引きマーカー３１、３１の作用状態切替え用のスイッチ６１の先端部を、ハンドル５の下部にある、下向きではなく稍上向きのパネルの近くで、且つ、該パネルに対し上方に位置するように設けてあることが記載されている。
　さらに、前記刊行物４の第１図及び第９図の記載からみて、刊行物４にも、左右のマーカー４６、４６を切替えるマーカ切替スイッチ５３の先端部を、上向きの運転パネル４８の近くで且つ該運転パネル４８に対し上方に位置するように設けることが記載されている。
　このように、田植機の運転操縦に必要な切換スイッチ等の操作具の先端部を、「ステアリングハンドルのコラム立設部分の近くにある上向きのパネル」「ハンドル（５）下部にある、下向きではなく稍上向きのパネル」「上向きの運転パネル４８」等の上向きのメータパネルの近くで且つ該メータパネルに対し上方に位置するように配置して、該操作具が運転者の視野内に入りやすくしておくことは、本願出願前の周知・慣用技術であるということができる。
　
（ロ）そして、刊行物１ないし刊行物４にそれぞれ記載の発明は、いずれも田植機のマーカ装置の技術分野に属するものであるから、刊行物１記載の発明に刊行物２ないし刊行物４記載の周知・慣用技術を適用することは、当業者にとって困難を伴うことではない。
　そうしてみると、操作具の先端部の配置位置について、刊行物１記載の操作レバー２６の先端部の配置位置を、運転座席近傍から、上向きのメータパネルの近くで、且つ、操作しやすいように該メータパネルに対し右側上方に位置するように配置することにより、本件発明のような構成を得ることは、当業者が容易になし得ることである。
　
（３）まとめ
　以上のとおり、本件発明は、上記刊行物１記載された発明及び刊行物２ないし刊行物４記載の周知技術に基いて当業者が容易に発明をすることができたものであり、特許法第２９条第２項の規定に該当するものであるから、本件特許は特許を受けることができない発明に対してなされたものである。
　
５．むすび
　以上のとおりであるから、本件発明は、特許法第２９条第２項の規定により特許を受けることができない。
　したがって、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年４月１８日（２００１．４．１８）
【訂正の要旨】
訂正の要旨
［訂正事項ａ］
　特許明細書の特許請求の範囲の欄の
　「【請求項１】機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作する操作具４１をメータパネル４０の近くに設けたことを特徴とする田植機。」
の記載を、
特許請求の範囲の減縮を目的として、
　「【請求項１】機体左右外方に倒れるように回動して線引き状態となり機体側に起立するよう回動して非線引き状態となる線引マーカ６を機体の左右両側に備え、該線引マーカ６を線引き状態となる方向に回動ずるよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作
し左右の線引きマーカ６のいずれか一方を任意に線引き状態にすることができる
レバーにて構成し、該レバー先端部を上向きの
で且つ該メーターパネル４０に対し右側上方に位置するよう
［訂正事項ｂ］
　特許明細書の発明の詳細な説明の欄の〔問題点を解決するための手段〕の
　「この発明は、上記従来の問題点を解決するために、機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作する操作具４１をメータパネル４０に対し右側上方に位置するように設けたことを特徴とする田植機とした。」
の記載を、
明りょうでない記載の釈明を目的として、
　「この発明は、上記従来の問題点を解決するために、機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作
し左右の線引きマーカ６のいずれか一方を任意に線引き状態にすることができる
レバーにて構成し、該レバー先端部を上向きの
で且つ該メーターパネル４０に対し右側上方に位置するよう
と訂正する。
［訂正事項ｃ］
　特許明細書の発明の詳細な説明の欄の〔発明の作用及び効果〕の
　「この発明の田植機は、上記構成のものとしたから、規制手段３７を規制状態と規制解除状態とに切り替え操作する操作具４１を操作して、左右一方側の線引マーカ６を線引き状態に切り替えるので、その線引マーカ６の切り替え操作が軽快かつ迅速に行え、」
の記載を、
明りょうでない記載の釈明を目的として、
　「この発明の田植機は、上記構成のものとしたから、規制手段３７を規制状態と規制解除状態とに切り替え操作する
レバーにて構成した操作具であって、該レバー先端部を上向きのメータパネル４０の近くで且つ該メーターパネル４０に対し右側上方に位置するように設けた
と訂正する。
［訂正事項ｄ］
　特許明細書の発明の詳細な説明の欄の〔発明の作用及び効果〕の
　「しかも、その操作具４１をメータパネル４０の近くに設けているので、その操作具４１が操縦者の視野に入りにやすく、よって、その操作具４１の操作が忘れにくいものとなる。」
の記載を、
誤記の訂正を目的として、
　「しかも、その操作具４１をメータパネル４０の近くに設けているので、その操作具４１が操縦者の視野に入
り
と訂正する。
（５４）【発明の名称】
田植機
（５７）【特許請求の範囲】
　【請求項１】　機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作
し左右の線引きマーカ６のいずれか一方を任意に線引き状態にすることができる
レバーにて構成し、該レバー先端部を上向きの
で且つ該メーターパネル４０に対し右側上方に位置するよう
【発明の詳細な説明】
〔産業上の利用分野〕
　この発明は、線引マーカを機体の左右両側に備えた田植機に関する。
〔従来の技術とその問題点〕
　従来より、機体左右外方に倒れるように回動して線引き状態となり機体側に起立するよう回動して非線引き状態となる線引マーカを機体の左右両側に備え、該線引マーカを線引き状態となる方向に回動するよう付勢する付勢手段を設けた田植機において、苗植装置の上昇により線引マーカを前記付勢手段の付勢に抗して線引き状態から非線引き状態に回動し、苗植装置の下降により前記付勢手段の付勢で線引マーカが非線引き状態から線引き状態に回動可能となる構成とするとともに、苗植装置を下降しても線引マーカが非線引き状態から線引き状態に回動しないよう規制する規制手段を設け、該規制手段を、苗植装置の上昇操作に連動して規制手段が規制する対象の線引マーカを左右切り替える構成としたものがあった。
　このものは、旋回時の苗植装置の上昇操作に基づいて線引き状態にする線引マーカが左右交互に自動的に切り替わるから、便利である。しかしながら、旋回途中で畦から苗を補給する場合では、一旦苗植装置を下降させることになり、その苗補給が終われば再び苗植装置を上昇させて再び旋回をすることになって、よって、旋回時の苗植装置の上昇操作が通常の旋回時より一回多くなり、線引き状態にすべき側とは左右反対側のものが線引き状態に切り替わってしまう問題がある。
　一方、手動操作により、左右一方側の線引マーカを線引き状態に切り替えるものは、上記のような問題は生じない。しかし、例えば、特公昭５７−３１８４５号公報に示される手動操作のものは、操作具の操作により、線引マーカを付勢手段の付勢に抗して線引き状態から非線引き状態に回動する構成なので、その操作具の操作は軽快かつ迅速には行えない問題がある。
　また、苗植装置の上昇により線引マーカを前記付勢手段の付勢に抗して線引き状態から非線引き状態に回動し、苗植装置の下降により前記付勢手段の付勢で線引マーカが非線引き状態から線引き状態に回動可能となる構成とするとともに、苗植装置を下降しても線引マーカが非線引き状態から線引き状態に回動しないよう規制する規制手段を設け、該規制手段を規制状態と規制解除状態とに切り替え操作する操作具を操縦席の側方に設けた構成のものがあった。このものは、操作具の操作自体は軽快かつ迅速に行えるものではあるが、操作具が操縦席の側方にあるため、その操作具が操縦者の視野に入りにくく、よって、その操作具の操作を忘れやすい問題がある。
〔問題点を解決するための手段〕
　この発明は、上記従来の問題点を解決するために、機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引きマーカ６が非線引き状態から線引き状態に回動しないよう規制する規制手段３７を設け、該規制手段３７を規制状態と規制解除状態とに切り替え操作
し左右の線引きマーカ６のいずれか一方を任意に線引き状態にすることができる
レバーにて構成し、該レバー先端部を上向きの
で且つ該メーターパネル４０に対し右側上方に位置するよう
〔発明の作用及び効果〕
　この発明の田植機は、上記構成のものとしたから、規制手段３７を規制状態と規制解除状態とに切り替え操作する
レバーにて構成した操作具であって、該レバー先端部を上向きのメータパネル４０の近くで且つ該メーターパネル４０に対し右側上方に位置するように設けた
り
〔実施例〕
　この発明の実施例について図面に基づき詳細に説明する。
　機体１には、前後に前輪１０と後輪１１を設け、その中央部にクランク軸を機体１の前進方向に平行にしてエンジン２を設ける。
苗植装置５が、機体１の後部に上下一対のリンク３，４で取付けられて田植機となる（第１図）。
　油圧ポンプ１２と油圧タンク１３を備えたシリンダ７は、エンジン２の横で機体１に固着され、ピストン８がこのシリンダ７から後方に伸び出している。
エンジン２の動力は、伝動軸１４の前方の伝動ケース１５内の歯車群に達して前記の前輪１０および後輪１１に伝わり、歯車群で分れた一方の動力は、伝動軸１６で苗植装置５の植付ケース１７内の軸に伝わるようにできている。また、油圧ポンプ１２にも、ベルト１２′でエンジン２の動力が伝わるようになっている。
　ピストン８の先端には、突子１８があって、リンク１９でアーム２０に連り、リンク１９の前方の軸２１にこのアーム２０の基が固定されている。
苗植装置５は、植付ケース１７と、このケース１７の上で斜設されていて左右に往復する苗載台２２と、ケース１７の下にあって下面が地面に接触するフロート２３を備える。植付ケース１７の後部には、移植杆２４が設けられ、その移植杆２４は、植付ケース１７内の動力を受けて作動し、その爪先が縦長のループ曲線イを描くように出来ている。そして、このループ曲線イは、下り行程で苗載台２２の下端部に交って、移植杆２４がマット状に連続した苗を欠ぎ取って地面に挿し込むようにできている。
　上下一組の支杆２５，２６が、植付ケース１７の両横で外向に固定され、一対の線引マーカ６の基端よりもやや先のブラケット２７がピン２８でこの下部支杆２６に軸着されている（第６図および第７図）。引張ばね４３は、その両端が上部支杆２５と線引マーカ６の内端とに掛けられている。アウタ２９の一端が上部支杆２５の端に止められ、これから伸び出したインナワイヤ９の一端は、ピン２８よりも外側においてマーカ６に取付けられる。また、アウタ２９の他端は（第５図）、シリンダ７の中間部に固定した板３０に止められ、この端から伸び出したインナワイヤ９の他端には、段３１付のスライダー３２と頭３３付の杆３４とが連結するように取付けられている。Ｌ形の支板３５は、シリンダ７の後寄りに固定されて、その垂直部でスライダ３２を摺動自在に支え、水平部は、ばね３６で段３１側に押し出されるピン３７を支えている。ピン３７は、インナワイヤ３８でばね３６を圧縮して引き寄せられ、このインナワイヤ３８は、アウタ３９で被われるようにできている。アウタ３９の他の端は、メータパネル４０の近くで支えられ、これから伸び出したインナワイヤ３８の端は、レバー４１に取付けられる。また、ピストン８から突出したアーム４２には、杆３４が通され、その移動で、アーム４２が頭３３に当って、杆３４を引き、インナワイヤ９を引くようにできている。なお、図中の符号４４はハンドルを示す。
このように構成された田植機は、圃場において苗植装置５を下げ、所定の部分に動力を伝えて前進している。すると、苗載台２２に載せられたマット状の苗は、移植杆２４で端から一株分ごと欠ぎ取られ、下に運ばれて地面に移植される。そして、左右の線引マーカ６のうち、未植地側のものを下げ、復路において田植機を通す位置の目安となる線を描いている。
　このようにして、田植機が圃場の端に達すると、オペレータは、田植機を旋回させるが、それに先立って、苗植装置５および線引マーカ６を引き上げる。すなわち、油圧レバー（図示省略）を操作し、弁を開いて、油圧ポンプ１２で発生した圧力油をシリンダ７内に送り込む。すると、ピストン８が後に押し出され、突子１８がリンク１９を介してアーム２０を引き、リンク３が回り、リンク４に案内されて苗植装置５がほぼ平行を保ちながら上昇する。
このとき、ピストン８の移動で、アーム４２が杆３４を引き、インナワイヤ９がこれまで下がっていた側の線引マーカ６の先を引上げる。
　田植機の旋回が終ると、レバー４１を操作して、引上げた側の線引マーカ６側のピン３７を引き寄せる。つづいて、油圧レバーを操作してシリンダ７内の圧力油を油タンク１３に戻す。すると、苗植装置５の重力でピストン８がシリンダ７内に収納されるので、苗植装置５は、フロート２３が地面に着く状態まで降下する。このとき、ばね３６で押し出された側のピン３７は、線引マーカ６を降下させないよう規制する規制手段として作用し、即ち、ピン３７は段３１に当ってスライダー３２の動き止めるので、こちら側のインナワイヤ９は引かれた状態が保たれ、その側の線引マーカ６は降下しない。なお、他側のスライダー３２は、アーム４２の戻りにともなって付勢手段である引張ばね４３で引き戻され、その側の線引マーカ６は先が地面に着くように降下する。すなわち、復路においては、往路で引上げられていた線引マーカ６が降下して線を描き、往路で線を描いていた線引マーカ６は、これとは逆に引上げられる。
　なお、図のものでは、一対のピン３７が人為的に操作されるようになっているが、例えば電磁器を利用して、苗植装置５が上下動で、交互に突出するように構成することもできる。シリンダとピストンに対するワイヤやスライダーの支えも、図のものとは逆にし得るものであることは他言を要しない。
以上の説明、及び図面の記載に明らかなように、この田植機は、機体左右外方に倒れるように回動して線引き状態となり機体側に起立するよう回動して非線引き状態となる線引マーカ６を機体の左右両側に備え、該線引マーカ６を線引き状態となる方向に回動するよう付勢する付勢手段４３を設けた田植機において、苗植装置５の上昇により線引マーカ６を前記付勢手段４３の付勢に抗して線引き状態から非線引き状態に回動し、苗植装置５の下降により前記付勢手段４３の付勢で線引マーカ６が非線引き状態から線引き状態に回動可能となる構成とするとともに、苗植装置５を下降しても線引マーカ６が非線引き状態から線引き状態に回動しないよう規制する規制手段３７を設け、該規制手段３７を規制状態と規制解除状態とに切り替え操作する操作具４１をメータパネル４０の近くに設けた構成である。
　よって、この田植機は、規制手段３７を規制状態と規制解除状態とに切り替え操作する操作具４１を操作して、左右一方側の線引マーカ６を線引き状態に切り替えるので、この線引マーカ６の切り替え操作が軽快かつ迅速に行え、しかも、その操作具４１をメータパネル４０の近くに設けているので、その操作具４１が操縦者の視野に入りにやすく、よって、その操作具４１の操作が忘れにくいものとなる。
【図面の簡単な説明】
　第１図は田植機の側面図、第２図はその平面図、第３図は田植機の一部を示す側面図、第４図はその平面図、第５図はシリンダ部の側面図、第６図は苗植装置の側面図、第７図はその一部の背面図である。
　図中の符号１は機体、５は苗植装置、６は線引マーカ、３７はピン（規制手段）、４１は操作具、４３は引張ばね（付勢手段）、４０はメータパネルを示す。